(57)【特許請求の範囲】
【請求項１】
焦点位置を調節するためのフォーカスレンズを含んでなり、入射する光束に係る被写体像を形成するための撮影光学系と、
この撮影光学系により形成される被写体像を光電変換して電気信号として出力する撮像素子と、
上記撮影光学系により形成される被写体像を撮影者の眼に光学的に導くためのファインダ光学系と、
上記光束が通過する光路上に位置して該光束の少なくとも一部を上記ファインダ光学系側に反射させる光束反射の姿勢と、該光束が通過する光路上から退避して同光束を上記撮像素子側に通過させる光束通過の姿勢と、を選択的にとり得るようになされた反射ミラーと、
この反射ミラーが上記光束反射の姿勢をとるときに、上記光束の一部を上記ファインダ光学系側に反射させるとともに該光束の他の一部を上記撮像素子側に通過させるべく、該反射ミラー上に設けられた半透過反射部と、
上記撮像素子から出力される上記電気信号に基づいて上記フォーカスレンズの合焦位置を決定する合焦位置検出手段と、
この合焦位置検出手段により決定された合焦位置の情報を参照して、上記フォーカスレンズを所定の位置に移動させるフォーカスレンズ制御手段と、
を備え、
上記反射ミラーが上記光束反射の姿勢と光束通過の姿勢の何れか一方から他方に変位した場合には、上記フォーカスレンズ制御手段は、該変位を行う前に上記合焦位置検出手段によって決定された合焦位置から、上記半透過反射部の光路長相当分を補正する位置に、上記フォーカスレンズを移動させるように制御するものであることを特徴とする電子カメラ。
【請求項２】
上記フォーカスレンズ制御手段は、
上記反射ミラーが上記光束反射の姿勢をとる場合に、上記合焦手段によって決定された合焦位置に上記フォーカスレンズを移動させ、
上記反射ミラーが該光束反射の姿勢から上記光束通過の姿勢に変位した場合に、上記半透過反射部の光路長相当分を補正する位置に上記フォーカスレンズを移動させるように制御するものであることを特徴とする請求項１に記載の電子カメラ。
【請求項３】
上記フォーカスレンズ制御手段は、
上記反射ミラーが上記光束反射の姿勢をとる場合に、上記合焦手段によって決定された合焦位置から上記半透過反射部の光路長相当分を補正する位置に上記フォーカスレンズを移動させるように制御し、
上記反射ミラーが該光束反射の姿勢から上記光束通過の姿勢に変位した後は、上記フォーカスレンズを移動させないように制御するものであることを特徴とする請求項１に記載の電子カメラ。
【請求項４】
入射する光束に係る被写体像を形成するための撮影光学系と、
この撮影光学系により形成される被写体像を光電変換して電気信号として出力する撮像素子と、
上記撮影光学系により形成される被写体像を撮影者の眼に光学的に導くためのファインダ光学系と、
上記光束が通過する光路上に位置して該光束の少なくとも一部を上記ファインダ光学系側に反射させる光束反射の姿勢と、該光束が通過する光路上から退避して同光束を上記撮像素子側に通過させる光束通過の姿勢と、を選択的にとり得るようになされた反射ミラーと、
この反射ミラーが上記光束反射の姿勢をとるときに、上記光束の一部を上記ファインダ光学系側に反射させるとともに該光束の他の一部を上記撮像素子側に通過させるべく、該反射ミラー上に設けられた半透過反射部と、
上記撮像素子から出力される上記電気信号に基づいて露出値を決定して露出を制御する露出制御手段と、
を備え、
上記反射ミラーが上記光束反射の姿勢と光束通過の姿勢の何れか一方から他方に変位した場合には、上記露出制御手段は、該変位を行う前に決定した露出値から、上記半透過反射部による光量の変化相当分だけ該露出値を補正して、露出を制御するものであることを特徴とする電子カメラ。
【請求項５】
入射する光束に係る被写体像を形成するための撮影光学系と、
この撮影光学系により形成される被写体像を光電変換して電気信号として出力する撮像素子と、
上記撮影光学系により形成される被写体像を撮影者の眼に光学的に導くためのファインダ光学系と、
上記光束が通過する光路上に位置して該光束の少なくとも一部を上記ファインダ光学系側に反射させる光束反射の姿勢と、該光束が通過する光路上から退避して同光束を上記撮像素子側に通過させる光束通過の姿勢と、を選択的にとり得るようになされた反射ミラーと、
この反射ミラーが上記光束反射の姿勢をとるときに、上記光束の一部を上記ファインダ光学系側に反射させるとともに該光束の他の一部を上記撮像素子側に通過させるべく、該反射ミラー上に設けられた半透過反射部と、
上記撮像素子から出力される上記電気信号に基づいてホワイトバランス値を決定してホワイトバランスを制御するホワイトバランス制御手段と、
を備え、
上記反射ミラーが上記光束反射の姿勢と光束通過の姿勢の何れか一方から他方に変位した場合には、上記ホワイトバランス制御手段は、該変位を行う前に決定したホワイトバランス値から、上記半透過反射部によるホワイトバランスの変化相当分だけ該ホワイトバランス値を補正して、ホワイトバランスを制御するものであることを特徴とする電子カメラ。
【発明の詳細な説明】
【０００１】
【発明の属する技術分野】
本発明は、電子カメラ、より詳しくは、半透過反射部を有する反射ミラーを備えた電子カメラに関する。
【０００２】
【従来の技術】
ＣＣＤ等の撮像素子で撮影した画像を、ＬＣＤ等の映像表示装置により観察しながら撮影を行う電子カメラが市販されているが、ＬＣＤはＣＣＤに比して画素数が少ない等の点から、被写体の構図等を確認するには十分であっても、合焦状態を詳細に観察するには十分とはいえなかった。
【０００３】
そこで、映像表示装置以外にもさらに一眼レフレックスタイプのファインダ光学系を備えるようにした電子カメラが提案されていて、撮影光学系から入射する被写体像を該ファインダ光学系を介して明るく高精細に観察することができるようになっている。
【０００４】
しかし、こうした一眼レフレックス光学系は、被写体を光学的に観察している状態では、撮影光学系から入射する光束をクイックリターンミラー等の反射ミラーによりファインダ光学系側に反射させていて、このときには撮像素子側に被写体光が到達しないために、映像表示装置による観察を同時に行うことができず、さらにはＡＦ，ＡＥ，ＡＷＢ等を同時に行うことができない。そのために、レリーズスイッチを押して反射ミラーが光路中から退避した後にＡＦ，ＡＥ，ＡＷＢ等を行わなければならず、レリーズスイッチ押圧後に記録媒体に記録が行われるまでのタイムラグが長くなるという課題があった。
【０００５】
そこで本出願人は、例えばクイックリターンミラー等の反射ミラーの一部に半透過反射部を設けた構成の電子カメラを特願平１０−９６３１４号において提案しており、これによれば、反射ミラーが撮影光束中に進入した状態となっているときには、光束の一部がファインダ光学系側に反射されるとともに他の光束の一部が撮像素子側に透過されるために、ファインダ光学系により被写体を観察している最中にも、撮像素子側で被写体光束を受光してＡＦ，ＡＥ，ＡＷＢ等の撮影準備動作を行うことができ、レリーズスイッチを押すと素早く記録が行われてタイムラグを短縮することができるようになっている。
【０００６】
【発明が解決しようとする課題】
しかしながら、上記特願平１０−９６３１４号に記載されたような構成では、反射ミラーが光路上に位置する撮影準備状態と、反射ミラーが光路上から退避している撮影動作状態とでは、撮像素子に到達する光束が、該反射ミラーの半透過部を通過したものであるか否かに基づく差違が発生する。
【０００７】
より詳しくは、半透過部は、例えば透光性の薄板上に半透過ミラーを蒸着して構成されているが、光がこの半透過部を通過する際には、これらによる光量の減衰やカラーバランスの変化、あるいは光路長の変化などが生じてしまう。
【０００８】
近年の撮像素子の高画素化やＡＥ，ＡＷＢの高精度化に伴い、より適切な撮影を行うためには、こうした変化も補正することが望ましいが、上述したような従来の電子カメラでは、上記撮影準備状態において得たＡＦ，ＡＥ，ＡＷＢの各値を、反射ミラーが光路上から退避した撮影状態において再度ＡＦ，ＡＥ，ＡＷＢを行うことにより補正してやる必要があるために、結局タイムラグが生じることになってしまう。
【０００９】
本発明は上記事情に鑑みてなされたものであり、撮影時のタイムラグを短縮しながら、より正確な撮影を行うことができる電子カメラを提供することを目的としている。
【００１０】
【課題を解決するための手段】
上記の目的を達成するために、第１の発明による電子カメラは、焦点位置を調節するためのフォーカスレンズを含んでなり入射する光束に係る被写体像を形成するための撮影光学系と、この撮影光学系により形成される被写体像を光電変換して電気信号として出力する撮像素子と、上記撮影光学系により形成される被写体像を撮影者の眼に光学的に導くためのファインダ光学系と、上記光束が通過する光路上に位置して該光束の少なくとも一部を上記ファインダ光学系側に反射させる光束反射の姿勢と該光束が通過する光路上から退避して同光束を上記撮像素子側に通過させる光束通過の姿勢とを選択的にとり得るようになされた反射ミラーと、この反射ミラーが上記光束反射の姿勢をとるときに上記光束の一部を上記ファインダ光学系側に反射させるとともに該光束の他の一部を上記撮像素子側に通過させるべく該反射ミラー上に設けられた半透過反射部と、上記撮像素子から出力される上記電気信号に基づいて上記フォーカスレンズの合焦位置を決定する合焦位置検出手段と、この合焦位置検出手段により決定された合焦位置の情報を参照して上記フォーカスレンズを所定の位置に移動させるフォーカスレンズ制御手段とを備え、上記反射ミラーが上記光束反射の姿勢と光束通過の姿勢の何れか一方から他方に変位した場合には、上記フォーカスレンズ制御手段は、該変位を行う前に上記合焦位置検出手段によって決定された合焦位置から上記半透過反射部の光路長相当分を補正する位置に上記フォーカスレンズを移動させるように制御するものである。
【００１１】
また、第２の発明による電子カメラは、上記第１の発明による電子カメラにおいて、上記フォーカスレンズ制御手段が、上記反射ミラーが上記光束反射の姿勢をとる場合に上記合焦手段によって決定された合焦位置に上記フォーカスレンズを移動させ、上記反射ミラーが該光束反射の姿勢から上記光束通過の姿勢に変位した場合に上記半透過反射部の光路長相当分を補正する位置に上記フォーカスレンズを移動させるように制御するものである。
【００１２】
さらに、第３の発明による電子カメラは、上記第１の発明による電子カメラにおいて、上記フォーカスレンズ制御手段が、上記反射ミラーが上記光束反射の姿勢をとる場合に上記合焦手段によって決定された合焦位置から上記半透過反射部の光路長相当分を補正する位置に上記フォーカスレンズを移動させるように制御し、上記反射ミラーが該光束反射の姿勢から上記光束通過の姿勢に変位した後は上記フォーカスレンズを移動させないように制御するものである。
【００１３】
第４の発明による電子カメラは、入射する光束に係る被写体像を形成するための撮影光学系と、この撮影光学系により形成される被写体像を光電変換して電気信号として出力する撮像素子と、上記撮影光学系により形成される被写体像を撮影者の眼に光学的に導くためのファインダ光学系と、上記光束が通過する光路上に位置して該光束の少なくとも一部を上記ファインダ光学系側に反射させる光束反射の姿勢と該光束が通過する光路上から退避して同光束を上記撮像素子側に通過させる光束通過の姿勢とを選択的にとり得るようになされた反射ミラーと、この反射ミラーが上記光束反射の姿勢をとるときに上記光束の一部を上記ファインダ光学系側に反射させるとともに該光束の他の一部を上記撮像素子側に通過させるべく該反射ミラー上に設けられた半透過反射部と、上記撮像素子から出力される上記電気信号に基づいて露出値を決定して露出を制御する露出制御手段とを備え、上記反射ミラーが上記光束反射の姿勢と光束通過の姿勢の何れか一方から他方に変位した場合には、上記露出制御手段は、該変位を行う前に決定した露出値から上記半透過反射部による光量の変化相当分だけ該露出値を補正して露出を制御するものである。
【００１４】
第５の発明による電子カメラは、入射する光束に係る被写体像を形成するための撮影光学系と、この撮影光学系により形成される被写体像を光電変換して電気信号として出力する撮像素子と、上記撮影光学系により形成される被写体像を撮影者の眼に光学的に導くためのファインダ光学系と、上記光束が通過する光路上に位置して該光束の少なくとも一部を上記ファインダ光学系側に反射させる光束反射の姿勢と該光束が通過する光路上から退避して同光束を上記撮像素子側に通過させる光束通過の姿勢とを選択的にとり得るようになされた反射ミラーと、この反射ミラーが上記光束反射の姿勢をとるときに上記光束の一部を上記ファインダ光学系側に反射させるとともに該光束の他の一部を上記撮像素子側に通過させるべく該反射ミラー上に設けられた半透過反射部と、上記撮像素子から出力される上記電気信号に基づいてホワイトバランス値を決定してホワイトバランスを制御するホワイトバランス制御手段とを備え、上記反射ミラーが上記光束反射の姿勢と光束通過の姿勢の何れか一方から他方に変位した場合には、上記ホワイトバランス制御手段は、該変位を行う前に決定したホワイトバランス値から上記半透過反射部によるホワイトバランスの変化相当分だけ該ホワイトバランス値を補正してホワイトバランスを制御するものである。
【００１５】
【発明の実施の形態】
以下、図面を参照して本発明の実施の形態を説明する。
図１，図２は本発明の一実施形態を示したものであり、図１は電子カメラの構成を示すブロック図、図２は電子カメラの撮影時の動作を示すフローチャートである。
【００１６】
この電子カメラは、図１に示すように、被写体光像を形成するための撮影光学系１を有しており、この撮影光学系１は、被写体光束の通過光量を調節するための絞り装置２や焦点位置を調節するためのフォーカスレンズ３を備えて構成されている。
【００１７】
上記撮影光学系１の光路上には、クイックリターンミラー等でなる可動式の反射ミラーたるミラー５が配設されていて、このミラー５が光路中にあって光束を反射しているときには、その反射光束はファインダ光学系１０に入射するようになっている。
【００１８】
このファインダ光学系１０は、上記撮影光学系１の焦点面に配設されているフォーカシングスクリーン７と、このフォーカシングスクリーン７に結像した被写体像を正立正像に変換するペンタプリズム８と、このペンタプリズム８を射出した像を拡大して撮影者の眼に投影するための接眼レンズ９とを有して構成されている。
【００１９】
上記ミラー５は、その少なくとも一部に半透過反射部たるハーフミラー６が構成されていて、光路中に位置する場合でも被写体光束の一部を透過させるようになっている。
【００２０】
このハーフミラー６を透過した光束の光路上、または該ミラー５が光路中から退避した際の光束の光路上の、上記撮影光学系１の焦点面位置には、被写体光像を光電変換して電気信号として出力する撮像素子１２が配設されている。
【００２１】
この撮像素子１２の出力は、撮像回路１３に入力されて所定の信号処理がなされた後に、Ａ／Ｄ変換器１４によりデジタル信号に変換されるようになっている。
【００２２】
このデジタル信号は、被写体までの距離を算出して上記フォーカスレンズ３の合焦位置を決定するための合焦位置検出手段たるオートフォーカス（ＡＦ）回路１５と、被写体の輝度を算出して露出値を決定するための露出制御手段を構成する自動露出制御（ＡＥ）回路１６と、被写体のホワイトバランス値を算出して決定するためのホワイトバランス制御手段を構成するオートホワイトバランス（ＡＷＢ）回路１７とに各入力されて、それぞれの算出結果であるＡＦ値，ＡＥ値，ＡＷＢ値が、システムコントローラ１８に出力されるようになっている。
【００２３】
上記システムコントローラ１８は、所定のデータやプログラムライン等に基づいてこれらのＡＦ値，ＡＥ値，ＡＷＢ値を評価し、それらが適切な値であるか否かを判断して、その結果に応じて必要な補正を各回路に行わせるべく制御を行うようになっている。
【００２４】
すなわち、上記ＡＦ回路１５から得たＡＦ値により焦点位置を調節する必要があると判断した場合には、フォーカスレンズ制御手段たるフォーカスモータ駆動回路２０にその旨の指令を送ってフォーカスモータ２１を駆動させ、上記フォーカスレンズ３を移動させることにより焦点位置を適切な位置に調整させる。
【００２５】
また、上記ＡＥ回路１６から得たＡＥ値により露出を調節する必要があると判断した場合には、絞り駆動回路１９にその旨の指令を送って上記絞り装置２を駆動させて適切な絞り量に調整させるとともに、上記撮像素子１２による電荷蓄積時間を制御させることによりいわゆる素子シャッタのシャッタ時間を調整させ、あるいは上記撮像回路１３による信号のゲインを調整させている。
【００２６】
さらに、上記ＡＷＢ回路１７から得たＡＷＢ値によりホワイトバランスを調節する必要があると判断した場合には、上記撮像回路１３にその旨の指令を送って各色の増幅率を異ならせる等によりカラーバランスを調整させている。
【００２７】
また、上記システムコントローラ１８は、上記ミラー５の駆動制御も行うようになっている。すなわち、２段スイッチでなるレリーズスイッチ３１による撮影の指示があった際には、駆動回路２２に必要な制御命令を送って、駆動モータ２３を駆動させることにより上記ミラー５を光路上から退避させるように駆動し、また、撮像素子１２への露光が終了した場合には、該ミラー５を再び光路中に復帰させる。
【００２８】
一方、上記Ａ／Ｄ変換器１４の出力は、メモリ２４に一旦記憶された後に、ＬＣＤインターフェース（Ｉ／Ｆ）２５を介してＬＣＤ２６に出力され、該ＬＣＤ２６により画像の表示が行われるようになっている。
【００２９】
また、上記レリーズスイッチ３１がオンされた場合には、メモリ２４に記憶されている画像データは、圧縮伸長回路２７により圧縮された後に、例えば当該電子カメラに着脱自在のメモリカード等でなる記録媒体２８に記録されるようになっている。
【００３０】
また、上記システムコントローラ１８には、上記レリーズスイッチ３１以外にもさらに、上記ミラー５を光路上から退避した状態にさせるミラーアップモードスイッチ３２と、撮影を行う際に上記ファインダ光学系１０を介して主として観察を行うか、あるいは上記ＬＣＤ２６を介して主として観察を行うかを設定するためのファインダ選択モードスイッチ３３とが電気的に接続されている。
【００３１】
次に、図２を参照してこのような電子カメラの撮影時の動作について説明する。
【００３２】
電子カメラの電源がオンになるのを待機して（ステップＳ１）、オンになったら、後述するようなミラーアップモードが設定されているか否かを、上記ミラーアップモードスイッチ３２の状態を検出することにより判断する（ステップＳ２）。
【００３３】
ここでミラーアップモードが設定されていないと判断された場合には、レリーズ後にミラーアップを行うモードとなるが、このときさらに、上記ファインダ光学系１０を主として観察しながら撮影を行う光学ファインダモードか、あるいは上記ＬＣＤ２６を主として観察しながら撮影を行うＬＣＤ観察モードかを、上記ファインダ選択モードスイッチ３３の状態を検出することにより判断する（ステップＳ３）。
【００３４】
ここで光学ファインダモードでないと判断された場合には、撮影光学系１によりハーフミラー６を介して結像した被写体像を撮像素子１２により光電変換して、上記撮像回路１３およびＡ／Ｄ変換器１４を介してＡＥ回路１６，ＡＷＢ回路１７にそれぞれ入力させ、ＡＥ演算およびＡＷＢ演算を行わせてその結果を上記システムコントローラ１８に出力する。システムコントローラ１８は、上記ＡＥ演算の結果に基づいて、上記絞り駆動回路１９を制御して絞り装置２を駆動させるとともに上記撮像素子１２を制御して素子シャッタを調節しあるいは上記撮像回路１３を制御してゲインを調節することにより露出の自動調節（ＡＥ）を行うとともに、上記ＡＷＢ演算の結果に基づいて上記撮像回路１３を制御してホワイトバランスの自動調節（ＡＷＢ）を行わせる（ステップＳ４）。
【００３５】
また、上記Ａ／Ｄ変換器１４の出力は上記ＡＦ回路１５にも入力されて、該ＡＦ回路１５によりＡＦ演算が行われ、その結果も上記システムコントローラ１８に出力される。該システムコントローラ１８は、このＡＦ演算の結果に基づいて、上記フォーカスモータ駆動回路２０を制御してフォーカスモータ２１を駆動させ、上記フォーカスレンズ３を移動させてＡＦを行わせる（ステップＳ５）。なお、これらステップＳ４およびステップＳ５のＡＥ，ＡＷＢ，ＡＦは、ミラー５が光路中に位置する状態におけるものであるために、上記ハーフミラー６などの影響を受けた状態でのＡＥ値，ＡＷＢ値，ＡＦ値となる。
【００３６】
その後、レリーズスイッチ３１の１段目がオンになるのを待機して（ステップＳ６）、オンでない場合には上記ステップＳ４およびステップＳ５の処理を行ってオンになるのを待ち、１段目がオンになったところで、再び上述と同様にＡＥ，ＡＷＢを行うとともに（ステップＳ７）、ＡＦを行う（ステップＳ８）。このステップＳ７およびステップＳ８におけるＡＥ，ＡＷＢ，ＡＦも、上記ハーフミラー６などの影響を受けた状態でのものとなる。
【００３７】
そして、レリーズスイッチ３１の２段目がオンされるのを待って（ステップＳ９）、オンされたところでミラー５を光路上から退避させて（ステップＳ１０）、その後にＡＥ，ＡＷＢ補正を行うとともに（ステップＳ１１）、ＡＦ補正を行う（ステップＳ１２）。
【００３８】
すなわち、上記ハーフミラー６が存在することによる光量の低下やカラーバランスの変化、あるいは光路長の変化などは設計を行う時点で事前に判断することができるために、補正に必要なデータが予めシステムコントローラ１８内の記憶手段に記憶されていて、補正時にこれらの補正データを用いて検出した各ＡＥ，ＡＷＢ，ＡＦ値に対して補正を施すようになっている。
【００３９】
なお、このステップＳ１１，Ｓ１２の動作を行う時点では、ミラー５はすでに光路上から退避している状態となっているために、このときに撮像素子１２から出力されるデータを用いてＡＥ，ＡＷＢ，ＡＦ補正を行うことも可能であるが、演算に要する時間等を考慮すると、上述したような予め記憶されている補正データを用いて補正する方がよりタイムラグを短縮することができて望ましい。
【００４０】
こうして、このＬＣＤ観察モードにある場合には、レリーズスイッチ３１の１段目がオンされてＡＥ，ＡＷＢ，ＡＦ等がロックされた段階で、上記ＬＣＤ２６により被写体像を確認することになるために、ミラー５が光路上にあるか否かによる差違の補正は、レリーズスイッチ３１の２段目がオンされた後に行うようになっている。
【００４１】
この補正が終了すると、上記撮像素子１２から取り込んで上記メモリ２４に記憶されている画像データを、上記圧縮伸長回路２７により圧縮処理してから上記記録媒体２８に記録する（ステップＳ１３）。
【００４２】
この記録が終了したところで、ミラー５を再び光路上に戻して（ステップＳ１４）終了する。
【００４３】
また、上記ステップＳ３において、光学ファインダモードであると判断された場合には、上述と同様にＡＥ，ＡＷＢを行うとともに（ステップＳ１５）、ＡＦを行う（ステップＳ１６）。これらステップＳ１５およびステップＳ１６のＡＥ，ＡＷＢ，ＡＦは、ミラー５が光路中に位置する状態におけるものであるために、上記ハーフミラー６などの影響を受けた状態でのＡＥ値，ＡＷＢ値，ＡＦ値となる。
【００４４】
その後、レリーズスイッチ３１の１段目がオンになるのを待機して（ステップＳ１７）、オンでない場合には上記ステップＳ１５およびステップＳ１６の処理を行ってオンになるのを待ち、１段目がオンになったところで、再びＡＥ，ＡＷＢを行うとともに（ステップＳ１８）、ＡＦを行う（ステップＳ１９）。このステップＳ１８およびステップＳ１９におけるＡＥ，ＡＷＢ，ＡＦも、上記ハーフミラー６などの影響を受けた状態でのものとなる。
【００４５】
そこで、これらの影響分を補正するべく、ＡＥ，ＡＷＢ補正を行うとともに（ステップＳ２０）、ＡＦ補正を行う（ステップＳ２１）。
【００４６】
この補正が終了した時点で撮影を行うのに必要な設定がなされているために、レリーズスイッチ３１の２段目がオンされるのを待って（ステップＳ２２）、オンされたところでミラー５を光路上から退避させて（ステップＳ２３）、上記記録媒体２８への記録を行う（ステップＳ２４）。記録が終了したところで、ミラー５を再び光路上に戻して（ステップＳ２５）終了する。
【００４７】
このように、光学ファインダモードである場合には、ファインダ光学系１０を観察しながら撮影を行うために、ＬＣＤ２６への表示を最適な状態に設定する必要はなく、レリーズスイッチ３１の２段目がオンされる以前の段階でＡＥ，ＡＷＢ，ＡＦに必要な補正を行うことができるために、レリーズスイッチ３１の２段目がオンされた後は、ミラー５を退避させるだけでフォーカスレンズ３の移動等を要することなく記録媒体２８への記録を行うことができ、タイムラグを短縮することができる。
【００４８】
一方、上記ステップＳ２において、ミラーアップモードが設定されていると判断された場合には、まず上記ミラー５を光路から退避させる（ステップＳ２６）。ここに、ミラーアップモードとは、上記ミラー５を光路中から退避させた状態で撮影を行うモードであり、このミラーアップモードとなっている場合には上記ファインダ光学系１０による被写体の観察を行うことはできず、ＬＣＤ２６により構図等の確認を行うことになる。このミラーアップモードは、撮影時に既にミラー５がアップされているために、レリーズスイッチ３１によるレリーズ後に記録媒体２８への記録が行われるまでのタイムラグが短いという利点があるモードである。
【００４９】
ミラー５の退避が行われたら、その後に、上述と同様にしてＡＥ，ＡＷＢを行うとともに（ステップＳ２７）、ＡＦを行う（ステップＳ２８）。なお、これらステップＳ２７およびステップＳ２８におけるＡＥ，ＡＷＢ，ＡＦは、ミラー５がアップした状態で行われるものであるために、上記ハーフミラー６などによる影響を受けてはおらず、従ってその影響分の補正も不要である。
【００５０】
その後、２段スイッチでなる上記レリーズスイッチ３１の１段目がオンになるのを待機して（ステップＳ２９）、オンでない場合には上記ステップＳ２７およびステップＳ２８の処理を行ってオンになるのを待ち、オンになったところで、再度、上述したようなＡＥ，ＡＷＢを行うとともに（ステップＳ３０）、ＡＦを行う（ステップＳ３１）。これらステップＳ３０およびステップＳ３１におけるＡＥ，ＡＷＢ，ＡＦの各処理も、同様にハーフミラー６などによる影響分の補正が不要なものである。
【００５１】
これらのＡＥ，ＡＷＢ，ＡＦが終了した時点で、ＡＥ値，ＡＷＢ値，ＡＦ値はロックされることになる。
【００５２】
その後、上記レリーズスイッチ３１の２段目がオンになるのを待機して（ステップＳ３２）、オンになったところで、上記記録媒体２８への記録を行う（ステップＳ３３）。
【００５３】
このように、ミラーアップモードにおいては、ＡＥ，ＡＷＢ，ＡＦに関する補正が不要であるとともに、レリーズスイッチ３１の２段目をオンした後は直ちに記録媒体２８への記録動作を行うことができるために、タイムラグを殆ど生じさせることはなく、素早い記録を行うことができる。従って、このミラーアップモードは、例えば動きの速い被写体を連続撮影する場合などに特に有効となるモードである。
【００５４】
なお、ミラーアップモードを継続させたまま再び撮影を行う場合には、ミラーダウンを行うことなく上述したような撮影処理を繰り返し、ミラーアップモードが終了した場合や電源がオフになった場合には、ミラーダウン処理を行うことになる。
【００５５】
このような実施形態によれば、ファインダ光学系により鮮明な被写体像をパララックスなく観察することができると同時に、ハーフミラーを介してＡＥ，ＡＷＢ，ＡＦを行うことができ、このハーフミラーが光路中に介挿されることによるＡＥ，ＡＷＢ，ＡＦの変化分を、予め記憶されている所定の補正データを用いて補正するようにしているために、再びＡＥ，ＡＷＢ，ＡＦを行う時間を要することなく、撮影時のタイムラグを短縮しながら、より正確な撮影を行うことができる。
【００５６】
さらに、ファインダ光学系を主として観察する光学ファインダモードである場合には、ＡＥ，ＡＷＢ，ＡＦの各補正をレリーズスイッチの２段目が押圧されるより前に行っているために、該２段目を押圧した後のタイムラグをより短縮することが可能である。
【００５７】
そして、ミラーを光路上から退避させた状態で撮影を行うミラーアップモードにおいては、ＡＥ，ＡＷＢ，ＡＦの各補正が不要であるとともに、レリーズスイッチを押圧した後のミラーアップが不要となるために、さらにタイムラグを短縮した撮影を行うことが可能になる。
【００５８】
なお、本発明は上述した実施形態に限定されるものではなく、発明の主旨を逸脱しない範囲内において種々の変形や応用が可能であることは勿論である。
【００５９】
【発明の効果】
以上説明したように請求項１による本発明の電子カメラによれば、反射ミラーの姿勢が変位した場合には、変位前のフォーカスレンズ位置を、半透過反射部の光路長相当分だけ補正するようにしたために、撮影時のタイムラグを短縮しながら、より正確な焦点位置で撮影を行うことができる。
【００６０】
また、請求項２による本発明の電子カメラによれば、請求項１に記載の発明と同様の効果を奏するとともに、光束反射の姿勢から光束通過の姿勢に変位した場合に、より正確な焦点位置で撮影を行うことができる。
【００６１】
さらに、請求項３による本発明の電子カメラによれば、請求項１に記載の発明と同様の効果を奏するとともに、光束反射の姿勢に変位する前に半透過反射部の光路長相当分を補正しているために、タイムラグをより短縮することが可能となる。
【００６２】
請求項４による本発明の電子カメラによれば、反射ミラーの姿勢が変位した場合には、変位前の露出値を、半透過反射部による光量変化相当分だけ補正するようにしたために、撮影時のタイムラグを短縮しながら、より正確な露出で撮影を行うことができる。
【００６３】
請求項５による本発明の電子カメラによれば、反射ミラーの姿勢が変位した場合には、変位前のホワイトバランス値を、半透過反射部によるホワイトバランスの変化相当分だけ補正するようにしたために、撮影時のタイムラグを短縮しながら、より正確なホワイトバランスで撮影を行うことができる。
【図面の簡単な説明】
【図１】本発明の一実施形態の電子カメラの構成を示すブロック図。
【図２】上記実施形態の電子カメラの撮影時の動作を示すフローチャート。
【符号の説明】
１…撮影光学系
２…絞り装置
３…フォーカスレンズ
５…ミラー（反射ミラー）
６…ハーフミラー（半透過反射部）
１０…ファインダ光学系
１２…撮像素子
１５…ＡＦ回路（合焦位置検出手段）
１６…ＡＥ回路（露出制御手段）
１７…ＡＷＢ回路（ホワイトバランス制御手段）
１８…システムコントローラ
１９…絞り駆動回路
２０…フォーカスモータ駆動回路（フォーカスレンズ制御手段）
２１…フォーカスモータ
２６…ＬＣＤ
２８…記録媒体
３１…レリーズスイッチ
３２…ミラーアップモードスイッチ
３３…ファインダ選択モードスイッチ
【図１】
0004060953.tif 000002
【図２】
0004060953.tif 000003